(57)【特許請求の範囲】
【請求項１】
本体と、
前記本体の下面を構成する化粧パネルと、
前記化粧パネルの吸込口に取り付けられ、回動し開閉自在に構成された吸込グリルと、
前記化粧パネルに設けられ、前記吸込グリルが回動する中心軸方向に沿って移動自在に構成されたシャフトと、を備え、
前記シャフトは、
シャフト本体と、
前記シャフト本体の一方の端面から前記シャフトの移動方向に突出した軸部と、
前記軸部と平行に設置されたリブ部と、を備え、
前記吸込グリルは、
前記軸部が挿入され当該吸込グリルの回動を支持する嵌合穴を有し、
前記軸部は、
前記シャフトの移動可能範囲の一方の端において、前記嵌合穴と嵌合し、
前記リブ部は、
前記軸部が前記嵌合穴に嵌合している状態において、前記化粧パネルに係合し、
前記シャフト本体は、
移動方向に平行な端面にシャフト側凸部を備え、
前記化粧パネルは、
前記シャフト側凸部の移動する軌道上に位置するパネル側凸部を備え、
前記パネル側凸部は、
前記シャフトの移動範囲の一方の端部における前記シャフト側凸部の位置と、前記シャフトの移動範囲の他方の端部における前記シャフト側凸部の位置との間に設けられている、空気調和機。
【請求項２】
前記吸込グリルは、
閉じられた状態において前記シャフトの移動を制限する移動制限部を備える、請求項１に記載の空気調和機。
【請求項３】
本体と、
前記本体の下面を構成する化粧パネルと、
前記化粧パネルの吸込口に取り付けられ、回動し開閉自在に構成された吸込グリルと、
前記化粧パネルに設けられ、前記吸込グリルが回動する中心軸方向に沿って移動自在に構成されたシャフトと、を備え、
前記シャフトは、
シャフト本体と、
前記シャフト本体の一方の端面から前記シャフトの移動方向に突出した軸部と、
前記軸部と平行に設置されたリブ部と、を備え、
前記吸込グリルは、
前記軸部が挿入され当該吸込グリルの回動を支持する嵌合穴を有し、
前記軸部は、
前記シャフトの移動可能範囲の一方の端において、前記嵌合穴と嵌合し、
前記リブ部は、
前記軸部が前記嵌合穴に嵌合している状態において、前記化粧パネルに係合し、
前記吸込グリルは、
閉じられた状態において前記シャフトの移動を制限する移動制限部を備える、空気調和機。
【請求項４】
前記シャフト本体は、
移動方向に平行な端面にシャフト側凸部を備え、
前記化粧パネルは、
前記シャフト側凸部の移動する軌道上に位置するパネル側凸部を備え、
前記パネル側凸部は、
前記シャフトの移動範囲の一方の端部における前記シャフト側凸部の位置と、前記シャフトの移動範囲の他方の端部における前記シャフト側凸部の位置との間に設けられている、請求項３に記載の空気調和機。
【請求項５】
前記移動制限部は、
閉じられた状態において前記シャフトの軌道上に位置し、
前記移動制限部から前記嵌合穴までの距離は、
前記シャフトが移動したときに前記移動制限部と当接する前記シャフト本体の当接面から前記軸部の先端までの距離よりも短い、請求項２〜４の何れか１項に記載の空気調和機。
【請求項６】
前記シャフト本体は、
前記軸部に近づくに従って前記移動制限部との干渉量が増加するように傾斜した傾斜部を備える、請求項２〜５の何れか１項に記載の空気調和機。
【請求項７】
前記リブ部の先端は、
前記シャフトの移動方向において、前記軸部の根元よりも突出している、請求項１〜６の何れか１項に記載の空気調和機。
【発明の詳細な説明】
【技術分野】
【０００１】
本発明は、空気調和機に関し、特に開閉し着脱自在な吸込グリルの回動軸の構造に関する。
【背景技術】
【０００２】
従来の天井埋込形の空気調和機は、ファンや熱交換機を有する箱型の空気調和機本体（以下、本体と記す）を天井に埋め込んで固定している。そして、空気調和機は本体の室内側に露出する面にその面の全体を覆うようにして化粧パネルが固定されている。化粧パネルは、開口部を有し、開口部には吸込グリルが取り付けられる。このような空気調和機においては本体の内部に対するメンテナンスを室内側から行う必要があるため、吸込グリルは、化粧パネルに対して回動自在かつ着脱自在に取り付けられる。【０００３】
例えば、特許文献１に開示されている天井埋込形の空気調和機は、シャフトを化粧パネル側に設置し、シャフトの軸部を化粧パネルに嵌合させている。これにより、吸込グリルは、回動自在かつ着脱自在になるように化粧パネルに取り付けられる。
【先行技術文献】
【特許文献】
【０００４】
【特許文献１】特開平１０−２０５８０６号公報
【発明の概要】
【発明が解決しようとする課題】
【０００５】
しかし、特許文献１に開示されている空気調和機においては、吸込グリルを化粧パネルに取り付けた際に、吸込グリルに嵌合しているシャフトが吸込グリルの重量により傾いてしまうという課題があった。そして、吸込グリルの回動動作はシャフトの軸部を中心に回動するため、シャフトの傾きにより回動中心軸がズレてしまい、吸込グリルの回動動作が円滑に行えないという課題があった。【０００６】
本発明は、上記のような課題を解決するためになされたもので、吸込パネルを回動自在及び着脱自在に化粧パネルに取り付けつつ、吸込グリルの回動動作を円滑に行うことができるようにした空気調和機を提供することを目的とする。
【課題を解決するための手段】
【０００７】
本発明に係る空気調和機は、本体と、前記本体の下面を構成する化粧パネルと、前記化粧パネルの吸込口に取り付けられ、回動し開閉自在に構成された吸込グリルと、前記化粧パネルに設けられ、前記吸込グリルが回動する中心軸方向に沿って移動自在に構成されたシャフトと、を備え、前記シャフトは、シャフト本体と、前記シャフト本体の一方の端面から前記シャフトの移動方向に突出した軸部と、前記軸部と平行に設置されたリブ部と、を備え、前記吸込グリルは、前記軸部が挿入され当該吸込グリルの回動を支持する嵌合穴を有し、前記軸部は、前記シャフトの移動可能範囲の一方の端において、前記嵌合穴と嵌合し、前記リブ部は、前記軸部が前記嵌合穴に嵌合している状態において、前記化粧パネルに係合し、前記シャフト本体は、移動方向に平行な端面にシャフト側凸部を備え、前記化粧パネルは、前記シャフト側凸部の移動する軌道上に位置するパネル側凸部を備え、前記パネル側凸部は、前記シャフトの移動範囲の一方の端部における前記シャフト側凸部の位置と、前記シャフトの移動範囲の他方の端部における前記シャフト側凸部の位置との間に設けられている。
【発明の効果】
【０００８】
本発明によれば、空気調和機は、上記構成を備えることにより、吸込グリルを回動自在に支持し、化粧パネルから脱着自在にすることができる。また、吸込グリルの回動軸のずれが抑制されるため、円滑な回動を行うことが可能となる。吸込グリルが円滑に回動できるため、空気調和機本体のメンテナンスを行う際に、吸込グリルを開ける作業を円滑に行うことができ、作業中に吸込グリルを不用意に落下させるのを抑制することができる。
【図面の簡単な説明】
【０００９】
【図１】本発明の実施の形態１における空気調和機を示す斜視図である。
【図２】図１の空気調和機のＡ−Ａにおける断面を示す模式図である。
【図３】図１の空気調和機の吸込グリルが開いた状態の斜視図である。
【図４】本発明の実施の形態１に係る空気調和機の組立斜視図である。
【図５】本発明の実施の形態１に係る空気調和機のシャフトの組立斜視図である。
【図６】図３のＲ部分の拡大図である。
【図７】図３のＲ部分の拡大図である。
【図８】図３のＬ部分の拡大図である。
【図９】図３のＬ部分の拡大図である。
【図１０】図６の空気調和機をシャフトの取付面に垂直な方向に切った断面を示す図である。
【図１１】図７の空気調和機をシャフトの取付面に垂直な方向に切った断面を示す図である。
【図１２】図６の空気調和機において、嵌合穴の中心軸を通り取付面に平行な断面を示す図である。
【図１３】図７の空気調和機において、嵌合穴の中心軸を通り取付面に平行な断面を示す図である。
【図１４】図６の空気調和機において吸込グリルが閉じたときのシャフト移動方向に沿った断面を示す説明図である。
【図１５】図１４において吸込グリルが開いたときのシャフト移動方向に沿った断面を示す説明図である。
【図１６】図１５の状態から吸込グリルが閉じ移動制限部がシャフトの傾斜部に接触した状態を示す斜視図である。
【発明を実施するための形態】
【００１０】
以下、図面に基づいて本発明の実施の形態について説明する。各図において、同一の符号を付した機器等については、同一の又はこれに相当する機器等を表すものであって、これは明細書の全文において共通している。また、明細書全文に表れている構成要素の形態は、あくまで例示であって、本発明は明細書内の記載のみに限定されるものではない。特に構成要素の組み合わせは、各実施の形態における組み合わせのみに限定するものではなく、他の実施の形態に記載した構成要素を別の実施の形態に適用することができる。また、図面では各構成部材の大きさの関係が実際のものとは異なる場合がある。
【００１１】
実施の形態１.
＜空気調和機１００の構成＞
図１は、本発明の実施の形態１における空気調和機を示す斜視図である。図１に示される空気調和機１００は、天井埋込形であり、空気調和機１００の本体１と化粧パネル２と開閉可能な吸込グリル３を備える。化粧パネル２は、空気調和機１００の下面を構成しており、空気調和機１００の本体１の下面に取り付けられている。そして、化粧パネル２は、室内の空気を本体１の内部に取り込む必要があるため、中央に吸込口２１を備え、その吸込口２１を吸込グリル３が覆っている。また、吸込グリル３の左右両側にサイドパネル４が配置されている。また、化粧パネル２の長辺側端部には、本体１内の空気を室内に送り出すための吹き出し口２２が設けられている。また、吸込グリル３には室内の空気を本体１内部に取り入れる時に空気を通す必要があるため、複数の穴３０が設けられている。
【００１２】
図２は、図１の空気調和機１００のＡ−Ａにおける断面を示す模式図である。空気調和機１００の本体の内部には、吸込口２１の上方に熱交換器２３及びファン２４が配置されている。ファン２４が回ることにより、室内の空気が吸込口２１を通して本体１内部に吸入される。吸込口２１から本体１の内部に入った空気は、熱交換器２３を流過する過程で、熱交換され、吹き出し口２２より室内に吹き出される。
【００１３】
図３は、図１の空気調和機１００の吸込グリル３が開いた状態の斜視図である。空気調和機１００を天井に据え付けてある状態で本体１の内部のメンテナンスを行う際に、室内側に本体１の内部を露出させる必要がある。化粧パネル２は、本体１に対してネジ２５により固定されており、取り外し自在に設けられている。この化粧パネル２を外すことで本体１の内部が室内側に露出させることが出来るが、化粧パネル２に吸込グリル３を開閉自在に取り付けてあるため、空気調和機１００は、吸込グリル３を開閉することによっても本体１の内部を室内側に露出させることができる。そのため、空気調和機１００は、化粧パネル２を取り外さずにメンテナンスを行うことができる。また、吸込グリル３は、化粧パネル２に取り付けられたシャフト５を介して化粧パネル２に開閉自在に取り付けられている。シャフト５は吸込口２１の反対側の長辺側端部に対称な位置に２つ設けられている。
【００１４】
図４は、本発明の実施の形態１に係る空気調和機１００の組立斜視図である。空気調和機１００を天井に据え付ける際には、まずは本体１を天井に取り付ける。その後、吸込グリル３及びサイドパネル４を取り付けた化粧パネル２を本体１の室内側に取り付ける。次に化粧パネル２に吸込グリル３を取り付ける。吸込グリル３を取り付ける前に、あらかじめシャフト５を化粧パネル２に取り付け、その後、吸込グリル３をシャフト５を介して化粧パネル２に取り付ける。
【００１５】
図５は、本発明の実施の形態１に係る空気調和機１００のシャフト５の組立斜視図である。図６及び図７は、図３のＲ部分の拡大図である。図８及び図９は、図３のＬ部分の拡大図である。図６及び図８においては、シャフト５が吸込グリル３から外れた状態の図が示されており、図７及び図９においては、シャフト５が吸込グリル３に嵌められた状態の図が示されている。シャフト５は、移動させる方向に長い形状であり、長手方向の一方の端面に円柱状の軸部６が設けられている。軸部６は、シャフト５のシャフト本体５１の端部に形成された軸支持部７に形成されており、シャフト５の長手方向に突出して形成されている。また、軸部６が形成されている側のシャフト本体５１の端部には、直方体状のリブ部８が長手方向に突出している。リブ部８は、軸部６に対し化粧パネル２側に寄った位置に形成されており、シャフト５が化粧パネル２に組み付けられた状態においては、リブ部８は、化粧パネル２に設けられた開口部１５に挿入されている。シャフト５の長手方向の他方の端部、つまり軸部６及びリブ部８が設けられている端部と反対側の端部は、傾斜部９が形成されている。また、シャフト本体５１の中心部には穴部１０が空いている。また、シャフト５の長辺となっている端面の中央部には、それぞれシャフト側凸部１１が設けられている。
【００１６】
化粧パネル２の吸込口２１の四隅のうち隣合った２箇所にシャフト５の取付部６０が設けられている。取付部６０には、シャフト５の取付面６１が設けられており、取付面６１には、円柱状のボス部１４が突出している。ボス部１４の中心にはネジ穴部１６が形成されている。また、取付面６１は、シャフト５のシャフト本体５０に合わせてシャフト５の移動する方向に長く形成されている。取付面６１の長手方向に沿ってレール部１２が形成されている。レール部１２は、取付面６１を挟み両側に形成されている。つまり、レール部１２は、シャフト５のスライド方向に沿うように設けられており、シャフト５がスライドする際に、シャフト５が長手方向に直線的に動くように案内している。
【００１７】
レール部１２の長手方向の中央部は切り欠かれており、その切り欠かれた部分の中央部に、パネル側凸部１３が形成されている。レール部１２とパネル側凸部１３の間には、シャフト５を化粧パネル２に取り付けた際にシャフト５のシャフト側凸部１１が当たらぬように、逃げ形状として隙間６２ａ〜６２ｄが形成されている。図６に示されるように、軸部６が嵌合穴１９から外れた状態において、シャフト側凸部１１は、隙間６２ａに位置している。シャフト５は、矢印Ｋ１方向に移動できるが、シャフト側凸部１１の移動する軌道上にパネル側凸部１３が位置しているため、シャフト側凸部１１は、パネル側凸部１３を乗り越えて移動する必要がある。この構成により、シャフト５は、軸部６が嵌合穴１９から外れた状態を維持することができるため、吸込グリル３を取り付ける際に軸部６が接触することがなく、取付作業が容易になる。なお、図６において、シャフト側凸部１１は、反対側の端面にも形成されており、手前側のシャフト側凸部１１と同じ状態になっている。また、図７に示されるように、軸部６が嵌合穴１９に嵌った状態において、シャフト側凸部１１は、隙間６２ｂに位置している。この状態において、シャフト５は、矢印Ｋ２側に移動することができるが、シャフト側凸部１１は、パネル側凸部１３を乗り越えて移動しなければならない。この構成により、嵌合穴１９に嵌った軸部６は、容易に抜けなくなるため、不用意に吸込グリル３が外れることがない。また、軸部６が嵌合穴１９に嵌ったことが明確になるため、吸込グリル３の組み付けが確実に行える。
【００１８】
また、取付面６１には、開口部１５が形成されている。開口部１５は、シャフト５を化粧パネル２に取り付けた際にリブ部８を通すためのものである。シャフト５を化粧パネル２へ取り付ける際には、化粧パネル２の開口部１５にシャフト５のリブ部８を通すように配置すると共に、シャフト５の穴部１０に化粧パネル２のボス部１４を通す。化粧パネル２の開口部１５は、シャフト５の可動域に合わせた大きさに設定されている。シャフト５の穴部１０を通されたボス部１４の天面にネジ１７でワッシャー１８を取り付けることにより、シャフト５は、ボス部１４から外れないように取り付けられる。これによりシャフト５は長手方向へのスライド移動が可能となるが、化粧パネル２のボス部１４の高さは、シャフト５の穴部１０の厚さより少し大きく、例えば０．５ｍｍ程度大きく設定する。このボス部１４がシャフト５の穴部より低い場合はシャフト５が固定されてスライドが行えなくなり、ボス部１４を高くしすぎるとシャフト５と化粧パネル２の取付面６１との間の隙間が大きくなってしまう。
【００１９】
吸込グリル３の四隅のうち隣合った２箇所の隅部には、シャフト５の軸部６が嵌合するための嵌合穴１９が設けられている。吸込グリル３は、嵌合穴１９の中心軸周りに回動するように構成されている。吸込グリル３を化粧パネル２に取り付ける際には、図３のＲ部及びＬ部に取り付けられている２つのシャフト５を互いに近づく側に移動させておく。吸込グリル３の嵌合穴１９をシャフト５の軸部６の延長線上に配置した状態で、２つのシャフト５を遠ざける側に移動させ、シャフト５の軸部６を嵌合穴１９に嵌合させる。図３のＲ部分のシャフト５の軸部６は、図６及び図７に示されるように、矢印Ｋ１方向に動くと嵌合穴１９へ嵌合し、矢印Ｋ２方向に動くと嵌合穴１９から外れる。Ｌ部分のシャフト５の軸部６は、図８及び図９に示されるように、矢印Ｋ３方向に動くと嵌合穴１９へ嵌合し、矢印Ｋ４方向に動くと嵌合穴１９から外れる。シャフト５の軸部６が吸込グリル３の長辺の両端部に形成された嵌合穴１９へ嵌合することで、吸込グリル３は、嵌合穴１９の中心軸周りに回動可能で、開閉自在に取り付けることが可能となる。
【００２０】
図１０は、図６の空気調和機１００をシャフト５の取付面６１に垂直な方向に切った断面を示す図である。図１１は、図７の空気調和機１００をシャフト５の取付面６１に垂直な方向に切った断面を示す図である。シャフト５のリブ部８は軸部６と同一方向に突出し、かつ平行に形成されている。軸部６が嵌合穴１９へ嵌合する際に、リブ部８は化粧パネル２に引っ掛かるよう構成されている。リブ部８は、吸込グリル３を支持するために必要な剛性及び強度を確保するために十分な大きさになっており、吸込グリル３の重量がリブ部８にかかってもリブ部８から軸部６までの間が撓んで、軸部６が傾かないように設定される。また、軸部６は、シャフト５が吸込グリル３に取り付けられる際に吸込グリル３がシャフト５に干渉しないように、シャフト本体５０の長辺を形成する端面から突出した位置で、シャフト本体５０の長手方向に伸びている。
【００２１】
図１０及び図１１に示されるように、シャフト５の軸部６を嵌合穴１９に嵌合させる際に、シャフト５のリブ部８が化粧パネル２に引っ掛かるため、軸部６に吸込グリル３の荷重がかかってもシャフト５が吸込グリル３の荷重により傾くことを防止することができる。軸部６が傾かないため、吸込グリル３の開閉時の回動軸がズレないため吸込グリル３は、スムーズに回動する。
【００２２】
図１２は、図６の空気調和機１００において、嵌合穴１９の中心軸を通り取付面６１に平行な断面を示す図である。図１３は、図７の空気調和機１００において、嵌合穴１９の中心軸を通り取付面６１に平行な断面を示す図である。図１２及び図１３に示されるように、シャフト５がスライドする際に、シャフト５に形成されたシャフト側凸部１１は、化粧パネル２の取付部６０に設けられたパネル側凸部１３と干渉するよう構成されている。シャフト５のシャフト側凸部１１が移動したときに化粧パネル２のパネル側凸部１３を乗り越えることにより、シャフト５の位置が嵌合した状態と嵌合していない状態のいずれかに決まるように構成されており、軸部６が嵌合穴１９に嵌合している状態か否かが明確になっている。
【００２３】
図１４は、図６の空気調和機１００において吸込グリル３が閉じたときのシャフト移動方向に沿った断面を示す説明図である。図１５は、図１４において吸込グリル３が開いたときのシャフト移動方向に沿った断面を示す説明図である。図１６は、図１５の状態から吸込グリル３が閉じ移動制限部２０がシャフト５の傾斜部９に接触した状態を示す斜視図である。図１４、図１５、及び図１６は、シャフト５の取付面６１に設けられたボス部１４の中心軸を通る断面を示している。また、シャフト５は、吸込グリル３を開いた状態では、軸部６が嵌合穴１９に挿入された状態から外れた状態まで移動することが可能である。しかし、吸込グリル３が閉じられた状態においては、シャフト５の軸部６が設けられていない側の端部５３の側方に、吸込グリル３に設けられた移動制限部２０が位置している。移動制限部２０は、吸込グリル３が閉じられた状態においてシャフト５が移動する軌道上に位置しており、シャフト５の端部５３から所定の隙間をおいて位置している。シャフト５の端部５３から移動制限部２０までの隙間は、なるべく小さく設定され、少なくとも嵌合穴１９に軸部６が差し込まれる量よりも小さく設定される。つまり、シャフト５が移動したときに移動制限部２０と当接するシャフト本体５０の面を当接面５４とすると、吸込グリル３の移動制限部２０から嵌合穴１９までの距離は、当接面５４から軸部６の先端までの距離よりも短く設定されている。
【００２４】
このように構成されることにより、吸込グリル３が閉じられた状態において、シャフト５は、軸部６が嵌合穴１９から外れる方向に移動することがない。よって、空気調和機１００に、何らかの衝撃が加わった場合であっても吸込グリル３が外れるのを防止することができる。
【００２５】
移動制限部２０は、図１５に示されているように、シャフト５が嵌合穴１９に十分に入り込んでいない場合に、吸込グリル３を閉じるとシャフト５に形成された傾斜部９と干渉する。吸込グリル３を閉じる方向に動かすと、シャフト５に設けられた傾斜部９は、移動制限部２０に押され、軸部６が嵌合穴１９に嵌る方向に移動する。シャフト５は、傾斜部９を押されることにより軸部６が吸込グリル３の嵌合穴１９へと押しまれ、嵌合を確実に行える位置に移動する。このように構成されることにより、シャフト５の軸部６が嵌合穴１９に十分に入らないまま、吸込グリル３が閉じられることを防止できる。そのため、不用意に軸部６が嵌合穴１９から外れ吸込グリル３が落下するのを防止することができる。
【００２６】
＜実施の形態１の効果＞
（１）実施の形態１に係る空気調和機１００は、本体１と、本体１の下面を構成する化粧パネル２と、化粧パネル２の吸込口２１に取り付けられ、回動し開閉自在に構成された吸込グリル３と、化粧パネル２に設けられ、吸込グリル３が回動する中心軸方向に沿って移動自在に構成されたシャフト５と、を備える。シャフト５は、シャフト本体５０と、シャフト本体５０の一方の端面７ａからシャフトの移動方向に突出した軸部６と、軸部６と平行に設置されたリブ部８と、を備える。吸込グリル３は、軸部６が挿入され当該吸込グリル３の回動を支持する嵌合穴１９を有する。軸部６は、シャフト５の移動可能範囲の一方の端において、前記嵌合穴１９と嵌合する。リブ部８は、軸部６が嵌合穴１９に嵌合している状態において、化粧パネル２に係合している。
このように構成されることにより、シャフト５の軸部６に吸込グリル３の嵌合穴１９を嵌合させた状態において、シャフト５は、吸込グリル３の重量により軸部６が下方向に斜めに傾くのを抑えることができる。これにより、吸込グリル３が回動する軸が適正な位置に保たれるため、吸込グリル３を開閉する際にスムーズに動かすことができる。
【００２７】
（２）実施の形態１に係る空気調和機１００によれば、リブ部８の先端は、シャフト５の移動方向において、軸部６の根元よりも突出している。
このように構成されることにより、リブ部８は、軸部６が突出しているシャフト本体５０の端面７ａ周辺でシャフト本体５０を支持することができる。よって、軸部６に吸込グリル３の重量がかかってもシャフト５が下方向に撓むことがなく、吸込グリル３の回動軸が正常に保たれる。
【００２８】
（３）実施の形態１に係る空気調和機１００によれば、シャフト本体５０は、移動方向に平行な端面にシャフト側凸部１１を備える。化粧パネル２は、シャフト側凸部１１の移動する軌道上に位置するパネル側凸部１３を備える。パネル側凸部１３は、シャフト５の移動範囲の一方の端部におけるシャフト側凸部１１の位置と、シャフト５の移動範囲の他方の端部におけるシャフト側凸部１１の位置との間に設けられている。
このように構成されることにより、シャフト５は、軸部６が吸込グリル３の嵌合穴１９に嵌合した状態と、軸部６が嵌合穴１９から外れた状態とを明確にすることができる。よって、作業者が化粧パネル２に吸込グリル３を取り付けたときに、吸込グリル３の嵌合穴１９にシャフト５の軸部６が挿入されたのがわかりやすくなるため、軸部６の嵌合穴１９への不十分な差し込みになるのを防ぐことができる。また、シャフト側凸部１１は、軸部６が吸込グリル３の嵌合穴１９に嵌合した状態と軸部６が嵌合穴１９から外れた状態とのそれぞれの位置で、レール部１２とパネル側凸部１３との間の隙間に嵌り、容易に移動しないようになっている。そのため、不用意に吸込グリル３が化粧パネル２から外れ落下することを防止することができる。
【００２９】
（４）実施の形態１に係る空気調和機１００によれば、移動制限部２０は、閉じられた状態においてシャフト５の軌道上に位置し、移動制限部２０から嵌合穴１９までの距離は、シャフト５が移動したときに移動制限部２０と当接するシャフト本体５１の当接面から軸部６の先端までの距離よりも短い。
このように構成されることにより、吸込グリル３が閉じられた状態で空気調和機１００に衝撃などが加わっても、シャフト５は、軸部６が嵌合穴１９に嵌合した状態から移動することがない。そのため、吸込グリル３が化粧パネル２から外れるのを防止することができる。
【００３０】
（５）実施の形態１に係る空気調和機１００によれば、シャフト本体５１は、軸部６に近づくに従って移動制限部２０との干渉量が増加するように傾斜した傾斜部９を備える。
このように構成されることにより、軸部６が嵌合穴１９に十分に差し込まれていない状態で吸込グリル３が閉じられたとしても、移動制限部２０によりシャフト５を移動させることができる。つまり、軸部６が嵌合穴１９に十分に差し込まれていない状態でも吸込グリル３を閉じる動作によって軸部６が嵌合穴１９に嵌る方向に移動する。よって、軸部６が嵌合穴１９に十分に嵌り込んでいない状態で吸込グリル３が閉じられることがなくなり、吸込グリル３が不用意に落下するのを防ぐことができる。
【符号の説明】
【００３１】
１  本体、２  化粧パネル、３  吸込グリル、４  サイドパネル、５  シャフト、６  軸部、７  軸支持部、７ａ  端面、８  リブ部、９  傾斜部、１０  穴部、１１  シャフト側凸部、１２  レール部、１３  パネル側凸部、１４  ボス部、１５  開口部、１６  ネジ穴部、１７  ネジ、１８  ワッシャー、１９  嵌合穴、２０  移動制限部、２１  吸込口、２２  吹き出し口、２３  熱交換器、２４  ファン、２５  ネジ、３０  穴、５０  シャフト本体、５１  シャフト本体、５３  端部、５４  当接面、６０  取付部、６１  取付面、６２ａ  隙間、６２ｂ  隙間、６２ｃ  隙間、６２ｄ  隙間、１００  空気調和機、Ｋ１  矢印、Ｋ２  矢印。
【図１】
0006716007.tif 000002
【図２】
0006716007.tif 000003
【図３】
0006716007.tif 000004
【図４】
0006716007.tif 000005
【図５】
0006716007.tif 000006
【図６】
0006716007.tif 000007
【図７】
0006716007.tif 000008
【図８】
0006716007.tif 000009
【図９】
0006716007.tif 000010
【図１０】
0006716007.tif 000011
【図１１】
0006716007.tif 000012
【図１２】
0006716007.tif 000013
【図１３】
0006716007.tif 000014
【図１４】
0006716007.tif 000015
【図１５】
0006716007.tif 000016
【図１６】
0006716007.tif 000017